(57)【要約】【課題】排水路から水田に小魚や水生昆虫などが遡上できる落水枡を提供する。【解決手段】一面が開口している箱状の枡本体の内部に、対向する壁面と壁面をつなぐように複数のプール１０を１列に棚田状に配置する。これら複数のプールの開口側の縁を階段状に形成して越流堰１１とする。この越流堰に接するように水位調節ゲート３を設ける。ゲートは円形に形成し、中心から外れた位置に通水孔４を設け、円形ゲートを回転すると、通水孔４から覗く越流堰の段部１２の高さが連続的に変化するように構成する。【選択図】図５
0003125367.tif 000002
【実用新案登録請求の範囲】
【請求項１】
一面が開口している箱状の枡本体の内部に、対向する壁面と壁面をつなぐように複数のプールを１列に棚田状に配置し、これら複数のプールの該開口側の縁を階段状に形成して越流堰とし、該越流堰に接するように水位調節ゲートを設けた落水枡。
【請求項２】
該水位調節ゲートが円形で、中心から外れた位置に通水孔を有しており、該ゲートを回転すると、該通水孔から覗く該越流堰の段部の高さが連続的に変化するように構成した請求項１に記載の落水枡。
【考案の詳細な説明】
【技術分野】
【０００１】
本考案は、水田の水位を調節する落水枡に関する。
【背景技術】
【０００２】
水位を調節するために水田には落水枡が設けられるが、従来の落水枡は、排水路に連通する枡の入口に水位調節ゲートを設けただけの簡単なもので、ゲートを高くすれば水田の水位が高くなり、ゲートを低くすれば水位が低くなるようになっている。このような落水枡があると、小魚や水生昆虫などが排水路から枡の中まで遡上してきても、水位調節ゲートを乗り越えられず、水田まで達することができない。最近、水田にメダカや水性昆虫が少なくなったのは、このようなところにも原因がある。
【考案の開示】
【考案が解決しようとする課題】
【０００３】
この考案は、水田の生態系を保全するために、排水路から水田に小魚や水生昆虫などが遡上できる落水枡を提供することを課題とする。
【課題を解決するための手段】
【０００４】
この考案の落水枡は、一面が開口している箱状の枡本体の内部に、対向する壁面と壁面をつなぐように複数のプールを１列に棚田状に配置する。これら複数のプールの開口側の縁を階段状に形成して越流堰とする。この越流堰に接するように水位調節ゲートを設ける。
【０００５】
この落水枡では、降雨などにより水田の水位が高くなると、水田の水が水位調節ゲートおよび越流堰を越えては枡の内部にあるプールに流入し、さらに、低い段のプールへと次々に流れ落ちて、最後に落水枡から落水管を通って排水路に流れ下る。こうして、水田の水位は、水位調節ゲートの最後部高さに保たれる。一方、排水路から落水管を遡上して落水枡に達した小魚や水性昆虫などは、プールから溢れ落ちる水を登るようにしてプールを上に上に遡上する。こうして小魚等は、越流堰およびゲートを越えて水田に出ることができる。
【０００６】
水位調節ゲートは、枡の対向する壁の各々に上下方向に設けた溝に幅の狭い板を何枚かはめ込むようにした簡単なものでもよい。しかし、これでは、水位の細かい調整が難しく、また板と板の隙間から漏水も起こる。そこで、この考案では、ゲートを円形に形成し、中心から外れた位置に通水孔を設け、円形ゲートを回転すると、該通水孔から覗く越流堰の段部の高さが連続的に変化するように構成する。こうすれば、ゲートを回転することで、微細な水位調整が可能であり、ゲート自体に継ぎ目がないので漏水も起こらない。
【考案を実施するための最良の形態】
【０００７】
図１に示すように、落水枡１はコンクリートでできた箱型のもので、一面が開口しており、この開口２に水位調節ゲート３がはめ込まれる。開口２と反対側の壁１ａには排水口５があけてある。
【０００８】
この落水枡１は図２に示すように、枡の底板１ｂの上面が田面と同レベルになるように水田６の傍らに設置される。排水口５から延びる落水管７は水田の傍らを通る排水路９に導く。この落水管７の傾斜は充分小さくして、その中を小魚などが遡上できるようにすることが大切であり、落水枡１から排水路９までの距離が小さい場合は、図示するように平面で見たとき斜めに導いて落水管を長くし、結果的に勾配が小さくなるようにする。
【０００９】
図３および図４にも示すように、落水枡１の内部には、対向する壁面同士をつなぐように複数（図では３つ）のプール１０を１列に棚田状に配置する。これらプールの縁は階段状になっていて、これが越流堰１１を形成している。越流堰の段部１２は全部で１５段ほどあり、各段の高さは10mmほどになっている。プール１０に溜まった水は下の段に順次落下するように、各プールにノッチ１３が形成されている。
【００１０】
落水枡１には開口２に沿って溝１５が形成されており、この溝に円形の水位調節ゲート３をはめ込むことができ、はめ込まれたゲート３は越流堰１１に接した状態になる。ゲート３には中心から偏倚した位置に通水孔４があいており、ゲートを回転すると、図５に示すように、該通水孔から覗く越流堰１１の段部１２が高いものから低いものまで連続的に移り変わるようになっており、したがって、水田に溜められる水位が変化する。
【００１１】
ゲートの通水孔４が図５のＡ位置にあるとすると、通水孔から越流堰の最上段の段部１２ａが覗いているので、水田の水位は段部１２ａの高さを超えることがない。同様に、ゲート板の通水孔をＣ位置に持ってくると、水田の水位は、最上段の段部１２ｃの高さを超えることがない。通水孔の位置をＡとＣの間に持ってくると、水田の水位を段階的に任意の高さに設定することができ、例えば、通水孔をＢ位置にすると、水田の水位は段部１２ｂの高さになる。
【００１２】
いま、ゲートの通水孔４が図５のＢ位置にあるときに降雨があったとする。増水した水田の水は越流堰の段部１２ｂを超えて中段のプール１０ｂに流れ込む（図３）。その後、ノッチ１３ｂを通って下段のプール１０ｃに落ち、ここからさらにノッチ１３ｃを通って枡の底１ｂに落ち、排水口５から落水管７を通って排水路９に落ちる。排水路にいた小魚等は、前述のように緩やかな勾配に敷設された落水管７の中を遡上し、排水口５から落水枡１の中に達する（図２）。ここから、ノッチ１３ｃから落ちる流れを遡って下段のプール１０ｃに達する。さらにノッチ１３ｂからの流れを遡って中段のプール１０ｂに達する（図３）。プールの底は越流堰１１に向けて上り勾配１４を有しており、その勾配に沿って水が流れているので、小魚等はその勾配部を遡上し、ついには段部１２ｂを超えて、水田側に達することができる。
【００１３】
なお、ゲートの通水孔がＣ位置にあるときは、小魚等は下段プール１０ｃから遡上堰の段部１２ｃを越えてに水田側に達することができ、ゲート板の通水孔がＡ位置にあるときは、下段プール１０ｃから上段プール１０ａに遡上した後、段部１２ａを超えて水田に達することができる。
【００１４】
プール１０の下には、排水口５と同じレベルに排水トンネル１６が貫いている。トンネルの入口は普段、ゲート３で閉じられているが、ゲートの通水孔４をトンネル入口に合わせると、水田の水は排水トンネル１６を通って排水口５からすべて排出される。水田にいる魚等も水田の水といっしょに排出される。
【図面の簡単な説明】
【００１５】
【図１】落水枡の斜視図である。
【図２】落水枡の配置図である。
【図３】落水枡の平面図である。
【図４】図３のＸ−Ｘ断面図である。
【図５】落水枡の正面図である。
【符号の説明】
【００１６】
１    落水枡
２    開口
３    ゲート
４    通水孔
１０  プール
１１  越流堰
１２  段部
【図１】
0003125367.tif 000003
【図２】
0003125367.tif 000004
【図３】
0003125367.tif 000005
【図４】
0003125367.tif 000006
【図５】
0003125367.tif 000007